(57)【要約】【課題】引込部材を弱い挿入力により抜け止め係止できるようにして作業性を向上し、かつ一旦係止されるとその係止状態を安定確実に保つことができるようにする。【解決手段】パッド３に被せる表皮材４が引込部材２を有し、引込部材と係合した状態で表皮材をパッド又はフレーム５側に拘束可能にする樹脂製のクリップにおいて、パッド３又はフレーム５に固定されるベース部１０と、所定の間隔を保ってベース部１０上に立設された第１，第２片部１４，１６と、第１片部１４に設けられて第２片部側に突出している規制突起１５と、第２片部１６に設けられて斜め下向きに延びて、引込部材の対応部を規制突起１５との間より弾性変位を伴ってベース部側へ通過可能にし、かつ通過後は弾性復帰にして抜け止め係止する係合片部１７とを有している【選択図】図１
2013132328.tif 000002
【特許請求の範囲】
【請求項１】
パッドに被せる表皮材が引込部材を有し、前記引込部材と係合した状態で前記表皮材を前記パッド又は該パッドを保持したフレーム側に拘束可能にする樹脂製のクリップにおいて、
前記パッド又は前記フレームに固定されるベース部と、所定の間隔を保って前記ベース部上に立設された第１，第２片部と、前記第１片部に設けられて前記第２片部側に突出している規制突起と、前記第２片部に設けられて斜め下向きに延びて、前記引込部材の対応部を前記規制突起との間より弾性変位を伴って前記ベース部側へ通過可能にし、かつ通過後は弾性復帰にして抜け止め係止する係合片部とを有している、ことを特徴とする表皮係止用クリップ。
【請求項２】
前記係合片部は、突出端を前記規制突起より下側に延びており、前記規制突起との間から入って係合された前記引込部材の対応部を介して負荷を受けて該引込部材を逃がす方向へ弾性変位したとき前記規制突起に当たって規制されることを特徴とする請求項１に記載の表皮係止用クリップ。
【請求項３】
前記第１片部は第２片部より高く突出され、かつ前記規制突起の上面側が先端に行くほど下側となるガイド用傾斜面となっていることを特徴とする請求項１又は２に記載の表皮係止用クリップ。
【請求項４】
前記規制突起は、前記第１片部にスリットを介して区画された揺動可能な小板部に設けられ、かつ前記下面側が前記小板部に略直角なストッパ面に形成されていることを特徴とする請求項１から３の何れかに記載の表皮係止用クリップ。
【請求項５】
前記引込部材は、前記表皮材の内面側に取り付けられる取付部と、前記取付部の下側縁部に沿って設けられた膨出部と、前記取付部又は／及び前記膨出部の一部に設けられて前記係合片部を一方側より他方側へ挿通する穴部とを有していることを特徴とする請求項１から４の何れかに記載の表皮係止用クリップ。
【請求項６】
前記クリップは、前記パッドに対し前記ベース部をほぼ埋設した状態、又は、前記フレームに対し前記ベース部を面接した状態に固定されることを特徴とする請求項１から５の何れかに記載の表皮係止用クリップ。
【発明の詳細な説明】
【技術分野】
【０００１】
本発明は、表皮材側の引込部材と係合した状態で表皮材をパッド又はそのパッドを保持するフレーム側に拘束可能にする場合に好適な表皮係止用クリップに関する。
【背景技術】
【０００２】
図７は特許文献１に開示のシート構造を示している。符号１はフレーム、２はパッド、３は表皮材である。フレーム１は、メイン部１ａ及びメイン部１ａより斜めに立ち上がったサイド部１ｂ並びに表皮材３の端末を係止する係止爪１ｃなどを形成している。パッド２は、メイン部１ａに保持されるパッドメイン部２ａ及びサイド部１ｂに保持されるパッドサイド部２ｂを有しているとともに、パッドメイン部２ａとパッドサイド部２ｂとの間に設けられた凹状の引き溝２ｄなどを形成している。表皮材３は、表皮層３ｄ及びそれに裏打ちされたワディング層からなり、表皮メイン部３ａ及び表皮サイド部３ｂなどに区画形成されている。
【０００３】
以上のシート構造では、表皮サイド部３ｂの端縁部と表皮メイン部３ａの端縁部とが、表面側を対向させた状態で引き溝２ｄ内に配置されているとともに、引き布４の一端縁と他端縁とに表皮サイド部３ｂの端縁部と表皮メイン部３ａの端縁部がそれぞれ別々に連結され、この引き布４が、パッド２にインサートされたインサートワイヤ１ｄにホグリング６により係止されることで表皮材３をパッド２側に拘束している。また、表皮材３の端末部は、引き部材５が取り付けられ、引き部材５がフレーム側の係止爪１ｃにホグリング７により係止処理されている。更に、特許文献１には、図示しないが、引き布４に代えて、屈曲可能な連結部材及びそれに一体に設けられた挟持用のクリップを介してインサートワイヤ１ｄに係止する構造も開示されている。
【０００４】
図８は特許文献２の表皮吊込構造を示している。符号１はクリップ、１６は表皮材、１８はパッドである。ここで、パッド１８は、図７の構成と同じく、インサートワイヤ２０を有していると共に、表面に開口した凹溝１９を設けることでインサートワイヤ２０の一部を露出している。表皮材１６は、メイン部側とサイド部側とを接合した縫合部に装着テープ２１を構成しているテープ２２を取り付けている。装着テープ２１は、テープ２２の下縁部に沿って設けられた膨出状リテイナー２３を有している。クリップ１は、上側の装着部及び下側の係止部を一体に形成している。前記装着部は、断面が矩形の枠状からなるとともに上開口部を形成しており、リテイナー２３を枠内に配置し、かつ、薄くなったテープ２２を前記上開口部から外へ導出した状態で装着テープ２１に取り付けられている。一方、前記係止部は、装着部から立設された第１脚部及び第２脚部と、第２脚部の先端で屈曲して第１脚部に向けて延設されて、その内壁面が平坦に形成されている弾性係止片とを有している。そして、弾性係止片を装着部側に弾性変形させて、インサートワイヤ２０を脚部同士の間の導入空間に導入し、第２脚部と弾性係止片との屈曲部で係止する構成である。
【先行技術文献】
【特許文献】
【０００５】
【特許文献１】特開２００１−６１６１１号公報
【特許文献２】特開２００７−２６０３４０号公報
【発明の概要】
【発明が解決しようとする課題】
【０００６】
上記各構造では、表皮材をパッド側に拘束する場合、パッドに挿入された金属製のインサートワイヤを利用しているため、廃棄時にウレタン系パッドと金属製ワイヤやホックリングとの分別作業に時間と工数が係る。また、インサートワイヤーは全寸が長くなり重量増の要因となる。しかも、表皮材側の引込部材などをパッドやフレーム側にホックリングにより係止する作業は専用治具と共に熟練も要求される。
【０００７】
そこで、本発明の目的は、以上のような課題を解消して、分別作業をなくし、重量増の要因も軽減でき、しかも作業性に優れた表皮係止用クリップを提供することにある。他の目的は以下の内容説明の中で明らかにする。
【課題を解決するための手段】
【０００８】
上記目的を達成するため本発明は、形態の例で特定すると、パッド３に被せる表皮材４が内面側に設けられた引込部材２を有し、前記引込部材と係合した状態で前記表皮材を前記パッド又はそのパッドを保持したフレーム５側に拘束可能にする樹脂製のクリップにおいて、前記パッド３又は前記フレーム５に固定されるベース部１０と、所定の間隔を保って前記ベース部上に立設された第１，第２片部１４，１６と、前記第１片部１４に設けられて前記第２片部側に突出している規制突起１５と、前記第２片部１６に設けられて斜め下向きに延びて、前記引込部材の対応部を前記規制突起１５との間より弾性変位を伴って前記ベース部側へ通過可能にし、かつ通過後は弾性復帰にして抜け止めする係合片部１７とを有している、ことを特徴としている。
【０００９】
以上の本発明において、表皮材としては、パッドを覆うものであればよく、座席ないしはシート用、ベッド用、ソファ用、それらに類似のものに用いられるものであればよい。フレームとしては、パッドを保持するものであればよく、表皮材と同様に座席ないしはシート用、ベッド用、ソファ用、それらに類似のものに用いられるものであればよい。
【００１０】
以上の本発明は、請求項２〜６で特定したように具体化されることがより好ましい。
(ア)、前記係合片部１７は、突出端を前記規制突起１５より下側に延びており、前記規制突起との間から入って抜け止めされた前記引込部材２を介して負荷を受けて該引込部材を逃がす方向へ弾性変位したとき前記規制突起１５に当たって規制される構成である（請求項２）。
(イ)、前記第１片部１４は第２片部１６より高く突出され、かつ前記規制突起１５の上面側が先端に行くほど下側となるガイド用傾斜面１５ａとなっている構成である（請求項３）。
【００１１】
(ウ)、前記規制突起１５は、前記第１片部１４にスリット１４ａを介して区画された揺動可能な小板部１８に設けられ、かつ前記下面側が前記小板部に略直角なストッパ面１５ｂに形成されている構成である（請求項４）。
(エ)、前記引込部材２は、前記表皮材４の内面側に取り付けられる取付部２０と、前記取付部の下側縁部に沿って設けられた膨出部２１と、前記取付部２０又は／及び前記膨出部２１の一部に設けられて前記係合片部１７を一方側より他方側へ挿通する穴部２２とを有している構成である（請求項５）。
(オ)、前記クリップ１は、前記パッド部３に対し前記ベース部１０をほぼ埋設した状態、又は、前記フレーム５に対し前記ベース部１０を面接した状態に固定される構成である（請求項６）。
【発明の効果】
【００１２】
請求項１の発明では、樹脂製のクリップを用いて、クリップをパッド又はフレームに固定しておき、表皮材側の引込部材の対応部を両片部の間に挿入操作すると、規制突起及び係合片部を介して抜け止め係止可能となるため、従来構造に比べ、インサートワイヤを使用しないので廃棄時の分別作業を廃止でき、インサートワイヤに起因した重量増も緩和でき、また、ホグリングを使用する従来構造に比べ熟練を要せず作業性も改善できる。加えて、クリップとしては、ベース部上に立設された第１，第２片部、第１片部側の規制突起、第２片部側の係合片部を有し、引込部材の対応部を係合片部と規制突起との間より係合片部の弾性変位を伴ってベース部側へ通過可能にし、通過後は弾性復帰にして抜け止めするため、簡易であり、かつ引込部材を安定した状態に拘束できる。
【００１３】
請求項２の発明では、係合片部が規制突起より下側に延びており、規制突起と係合片部との間からベース部側に入って抜け止めされた引込部材を介して負荷を受けて、係合片部が引込部材を逃がす方向へ弾性変位したとき規制突起に当たって規制されるため、引込部材を弱い挿入力で拘束でき、かつ一旦拘束されると外れ難いものとなる。
【００１４】
請求項３の発明では、第１片部が第２片部より高く、かつ規制突起の上面側が下向きのガイド用傾斜面となっているため、図３のごとく引込部材を拘束方向へ挿入すると、まず規制突起の傾斜面に沿って弾性変位する係合片部側に案内されて抜け止め係止されるため安定した作業性を維持できる。
【００１５】
請求項４の発明では、規制突起が第１片部にスリットを介して区画された揺動可能な小板部に設けられているため、例えばクリップのベース部をパッドにインサート成形する場合に規制突起と係合片部とを図３（ａ）の２点鎖線に示すごとく成形型を構成している中子などで強制的に変位させ少なくとも規制突起と係合片部との間にパッドが形成されないようにすることができる。また、規制突起の下面側が小板部に略直角なストッパ面に形成されていると、係合片部が図３（ｂ）の２点鎖線に示すごとく弾性変位したときにストッパ面に当たってそれ以上に変形されないよう阻止されるため、引込部材の不用意な外れを確実になくすことができる。
【００１６】
請求項５と６の発明は確認的に特定したものである。請求項５の引込部材では、特許文献２のものに比べて穴部を有し、係合片部がその穴部に挿入されるためクリップに対しより安定かつ強固に拘束可能となる。これに対し、請求項６のクリップでは、パッドに対しベース部ほぼ埋設した状態つまりインサートにより固定したり、フレームに対しベース部を面接した状態つまり溶着などで固定可能なため汎用性に富んでいる。
【図面の簡単な説明】
【００１７】
【図１】発明形態のクリップを示し、（ａ）はクリップ単独の斜視図、（ｂ）は図２のＡ部拡大図、（ｃ）はクリップをフレームに固定した状態の斜視図である。
【図２】パッドに固定された上記クリップに表皮材を引込部材を介して係止する吊込操作を模式的に示す斜視図である。
【図３】図２の吊込操作において、（ａ）は係止前の状態を示し、（ｂ）は係止後の状態を示す要部拡大断面図である。
【図４】上記クリップの細部を示し、（ａ）は上面図、（ｂ）は正面図、（ｃ）は下面図である。
【図５】上記クリップの細部を示し、（ａ）は背面図、（ｂ）は左側面図、（ｃ）は右側面図である。
【図６】上記クリップの変形例を表皮材側と共に示す概略斜視図である。
【図７】特許文献１のシート構造を示す要部断面図である。
【図８】特許文献２の表皮材吊込構造を示す要部断面図である。
【発明を実施するための最良の形態】
【００１８】
以下、本発明の最適な形態を図面を参照しながら説明する。この説明では、クリップの構造、その使用例と変形例の順に詳述する。
【００１９】
（構造）形態の表皮係止用クリップ１は、図１に例示されているごとく緩衝用パッド３又はそのパッドを保持したフレーム５に固定されて、図２及び図３のごとくパッド３に被せる表皮材４の内面側に設けられた引込部材２を挿入操作により係合、つまり抜け止め係止した状態で表皮材４をパッド３又はそのパッドを保持したフレーム５側に拘束可能にするものである。
【００２０】
引込部材２は、樹脂成形込品であり、図２のごとく薄板状の取付部２０と、取付部２０の下側縁部に沿って設けられている膨出部２１と、取付部２０と膨出部２１との境目に設けられた複数の穴部２２とを有している。取付部２０は、メッシュないしは不織布などのごとく縫製加工に好ましい態様に設計されている。膨出部２１は、取付部２０より厚く形成されておればよく、特許文献２のリテイナー２３のような形状でもよい。各穴部２２は、後述する係合片部１７の先端部分を通す穴形状であればよく、また取付部２０と膨出部２１との境目以外の箇所、つまり取付部２０側に設けてもよい。
【００２１】
クリップの細部は以下の通りである。このクリップ１は、樹脂の射出成形品であり、固定用ベース部１０と、ベース部１０上に間隔を保って立設された第１片部１４及び第２片部１６と、第１片部１４に設けられて第２片部１６に向けて突出している規制突起１５と、第２片部１６に設けられて斜め下向きに延びて引込部材２の対応部を規制突起１５との間より弾性変位を伴ってベース部１０側へ通過可能にし、かつ通過後は弾性復帰にして抜け止めする係合片部１７とを有している。
【００２２】
ベース部１０は、図４のごとく中央部に設けられた略矩形の枠部１１と、枠部１１の左右に設けられている鍔状ないしはフランジ状の翼部１２，１２と、各翼部１２の両端内側と枠部１１の左右ないしは枠部１１上に立設された第１と第２片部１４，１７の下端両側とを連結している補強片部１３とからなる。各翼部１２には上下貫通した複数の開口１２ａが設けられている。補強片部１３の内側にも上下貫通した開口１３ａが設けられている。
【００２３】
第１片部１４と第２片部１６とは、上記した膨出部２１が余裕を持って収まる大きさの間隔を保っている。第１片部１４は、枠部１１の前後片部上に突設されて第２片部１６より高くなっている。また、第１片部１４は、図５（ｃ）のごとく略コ形であり、コ形の中間部より両側のスリット１４ａを介して区画されて揺動可能となった小板部１８を有し、その小板部１８に前記した規制突起１５を突設している。規制突起１５は、図４（ｂ）のごとく上面側が先端に行くほど下側となる下向き傾斜のガイド用傾斜面１５ａに形成され、かつ、下面側が小板部１８に略直角となる水平状のストッパ面１５ｂに形成されている。
【００２４】
第２片部１６は、図５（ｂ）のごとく枠部１１の前後片部上に突設された略コ形部、及び該コ形部の内側を埋めるように設けられた連結板部１６ａを有している。そして、前記した係合片部１７は、連結板部１６ａの上端から斜め下向き延設されており、その突出端が図５（ａ）のごとく規制突起１５より下側に位置し規制突起１５との間に若干の隙間を保っている。この係合片部１７は、規制突起１５との間から入って抜け止めされた引込部材２を介して負荷を受けてその引込部材２を逃がす方向へ、つまり上向き方向へ弾性変位したとき規制突起１５のストッパ面１５ｂに当接して規制されるようになっている。
【００２５】
（使用例）以上のクリップ１は、特許文献１や２のごとく座席ないしはシートを想定しているが、シート以外でも緩衝用パッドを表皮材で覆うような分野に使用可能である。また、クリップ１は、図１（ｂ）のごとくパッド３に固定される態様に限られず、図１（ｃ）のごとく緩衝用パッドを保持するフレーム５に固定される場合もある。
【００２６】
図１（ｂ）の態様は、クリップ１が図２に模式的に例示したごとく、パッド３のうち例えばパッドメイン部とパッドサイド部との間に設けられた凹状の溝部３０の底面３２側にパッド成形時のインサートにより固定される。溝部３０は両側面３１及び底面３２で区画されている。通常は、図２のごとくパッド３をウレタン系の発泡樹脂などにより成形するときにクリップ１のベース部１０がパッド対応部にインサートされる。この構造では、ベース部１０のうち、両側の翼部１２がパッド３内に完全に埋設されるとともに、枠部１１及び各開口１２ａ，１３ａに樹脂原液が入り込んで強固に固着一体化されるようになっている。なお、クリップ１をパッド３にインサート成形する場合は、規制突起１５と係合片部１７とを図３（ａ）の２点鎖線に示すごとく成形型を構成している中子などで強制的に変位させ少なくとも規制突起１５と係合片部１７との間にパッドが形成されないようにする。
【００２７】
図１（ｃ）の態様は、クリップ１がパッドを保持するフレーム５の側壁５０に溶着により固定されている。このフレーム５は、例えば図７に示されるようなパン型フレームを想定しているが、緩衝用パッドを保持する芯材であればよい。
【００２８】
対象の表皮材４は、細部を省略したが、通常は従来と同様に表皮層にワディング層などを裏打ちした構成であり、表皮部分４０の対応端部４０ａと他の表皮部分４１の対応端部４１ａとを縫製などにより接合した接続部４４を有している。そして、上記した引込部材２は、接続部４４に対し取付部２２が縫製部２３などにより取り付けられている。
【００２９】
図２及び図３は、表皮材４がパッド３に固定されたクリップ１に引込部材２を介して係合する操作例を示している。この場合、引込部材２は、パッド側の各クリップ１上に対応する穴部２２を位置し、かつ、クリップ側の第１片部１４と第２片部１６との間に膨出部２１を挿入するようにして図２の矢印方向へ押し操作される。すると、この構造では、膨出部２１が係合片部１７を押し、係合片部１７を下側つまり突出角を狭める方向へ弾性変位しつつ両片部１４，１６の間に挿入され、その過程で図３（ｂ）のごとく係合片部１７の先端が穴部２２の一方側より他方側へ挿通される。
【００３０】
換言すると、係合片部１７は、図３（ｂ）のごとく穴部２２に挿入された状態で引込部材２を抜け止め係止する。そして、この構造では、同図のごとく係合片部１７が規制突起１５より下側に延びているため、例えば引込部材１７が表皮材４に加わる同図の矢印方向への張力に起因して、係止解除方向への負荷を受けて角度を広げる方向へ弾性変位したとき規制突起１５に当たって過剰に変形されないよう規制される。この結果、この構造では、引込部材１７が第１片部の規制突起１５と第２片部１６の係合片部１７との間に比較的弱い挿入力で挿入係合されて表皮材４をパッド３側に拘束でき、かつ、一旦拘束されると外れ難いものとなる。
【００３１】
（変形例）図６は、上記したクリップ１の複数個を組として一体に有した変形例を示している。この説明では、上記形態と同じ箇所に同一符号を付し、新たな符号を付けた変更点だけ詳述する。すなわち、このクリップ６は、クリップ１とクリップ１とを中間片部１２ｂにより連結した態様となっている。また、各翼部１２及び各中間片部１２ｂには、上下に貫通した開口１２ａが略等間隔で付設されている。この開口１２ａは上記形態よりも大きく設計されている。このクリップ６では、複数のクリップ１を同時に取り扱えるため取扱性及びパッドやフレーム側へ一体化する操作性に優れている。
【００３２】
なお、本発明は、請求項で特定される構成を備えておればよく、細部は変形例のごとく必要に応じて種々変更可能なものである。
【符号の説明】
【００３３】
１…クリップ（１０はベース部、１１は枠部、１２は翼部）
２…引込部材（２０は取付部、２１は膨出部）
３…パッド（３０は溝部、３１は側面、３２は底面）
４…表皮材（４０と４１は表皮部分、４４は接続部）
５…フレーム（５０は側壁）
６…クリップ（１０はベース部、１１は枠部、１２は翼部、１２ｂは中間片部）
１４…第１片部（１５は規制突起、１５ａは上面、１５ｂはストッパ面）
１６…第２片部（１７は係合片部）
１８…小板部
【図１】
2013132328.tif 000003
【図２】
2013132328.tif 000004
【図３】
2013132328.tif 000005
【図４】
2013132328.tif 000006
【図５】
2013132328.tif 000007
【図６】
2013132328.tif 000008
【図７】
2013132328.tif 000009
【図８】
2013132328.tif 000010